(57)【特許請求の範囲】
【請求項１】
筐体内に、上側から順に紙幣識別機、硬貨導入通路、上面にこの硬貨導入通路が接続されかつ下面に硬貨返却通路と硬貨回収通路とが接続された硬貨識別機、球供給通路と接続された球切り装置、主制御基板、電源基板及びカードユニットが装備されているとともに、上記硬貨回収通路と球供給通路とは、左側方から見て筐体内の硬貨選別機と球切り装置との間で球供給通路を手前側にして交差した状態に配置されており、上記筐体は、６面のうち右側面、上面、下面及び背面を構成しかつ装備品を支持する強度部材としての基板と、この基板に取り付けられかつ正面を構成する正面パネルと、同じく基板に取り付けられかつ左側面を構成する側面カバーとからなる遊技媒体貸出装置であって、
上記球切り装置と球供給通路とは、金属製の取付プレートに組み付けてユニット化されており、上記取付プレートは筐体の基板に取り付けられ、この取付プレートの外側から重ね合わせるように筐体の側面カバーが基板に取り付けられており、
上記球供給通路は、遊技島側に配置した球補給装置からパチンコ球の補給を受ける補給口を有する第１の緩傾斜通路部と、この第１の緩傾斜通路部と第１の方向転換部を介して連続する第１の垂直通路部と、この第１の垂直通路部と第２の方向転換部を介して連続する第２の緩傾斜通路部と、この第２の緩傾斜通路部と第３の方向転換部を介して連続する第２の垂直通路部と、この第２の垂直通路部と第４の方向転換部を介して連続しかつ上記正面パネルに設けた球貸出ノズルに連通する第３の緩傾斜通路部とを有してなり、
上記球切り装置は、この球供給通路の第２の垂直通路部内に一部が挿入された状態で設けられ第２の垂直通路部内を落下するパチンコ球を１個ずつ送り出すための球切りホイールを有しており、
上記取付プレートは、上記球供給通路の一側壁を構成するとともに、球供給通路に沿った形状に形成されており、また、この取付プレートには、上記球供給通路の第１及び第２の方向転換部付近でその内部を落下するパチンコ球が衝突する側の壁部に当接するフランジ部が形成されていることを特徴とする遊技媒体貸出装置。
【発明の詳細な説明】
【０００１】
【発明の属する技術分野】
本発明は、遊技場においてパチンコ機などの各遊技機に隣接して設置される遊技媒体貸出装置に関し、特に、硬貨などの現金の投入により遊技媒体としてのパチンコ球を貸し出すものに係わる。
【０００２】
【従来の技術】
一般に、この種の遊技媒体貸出装置として、例えば特許文献１に開示されるように、筐体内に紙幣識別機、硬貨選別機、硬貨回収通路、球切り装置（貸球計数手段）、球供給通路及び制御部などを装備するとともに、筐体の正面に紙幣挿入口、硬貨投入口及び球貸出ノズルなどを設け、紙幣挿入口から所定の紙幣を挿入し、あるいは硬貨投入口から所定の硬貨を投入すると所定数のパチンコ球が球貸出ノズルから貸し出されるものはよく知られている。
【０００３】
上記筐体は、島側に固定されたフレーム枠に対し前方より脱着可能に装着して支持されるようになっている。この筐体は、装備品を支持する基板と、この基板の一側面を覆って取り付けられる側面カバーとを備えてなる。
【０００４】
また、上記硬貨回収通路は、筐体内の上部に配置した硬貨選別機から硬貨を筐体背面の下部外側である島側に配置した硬貨搬送装置に自重によって送出するようになっている一方、上記球供給通路は、島側に配置した球補給装置から供給されるパチンコ球をその自重によって球切り装置側に送出するようになっており、筐体内の中央部で硬貨回収通路と球供給通路とが側方から見て交差した状態に配置されている。そして、この互いに交差する硬貨回収通路及び球供給通路の取付方法としては、従来、一方の通路を筐体の基板にねじ止めなどにより取り付けた後、この通路の上から他方の通路を重ね合わせ、筐体の基板に設けたボス部などにねじ止めをすることにより他方の通路を取り付けるようにしている。
【０００５】
【特許文献１】
特開２０００−９３６３６号公報（第４−５頁、図１−図５）
【０００６】
【発明が解決しようとする課題】
しかしながら、上記従来の取付方法では、硬貨回収通路及び球供給通路の少なくとも一方を、取付面である筐体の基板から離した状態に取り付けるだけでなく、この硬貨回収通路と連通する硬貨選別機又は球供給通路と連通する球切り装置をも、通路内を通過する硬貨又はパチンコ球の流れを円滑にするために筐体の基板から離した状態に取り付ける必要がある。このため、これらの取付作業が面倒なものになり、またその取付が不安定なものになるという問題があった。
【０００７】
本発明はかかる点に鑑みてなされたものであり、その課題とするところは、特に、上述した球切り装置及び球供給通路の取付構造などを改良して、取付作業の簡易化及び取付強度の向上を図り得る遊技媒体貸出装置を提供せんとするものである。
【０００８】
【課題を解決するための手段】
上記の課題を解決するため、請求項１に係る発明は、遊技媒体貸出装置として、筐体内に、上側から順に紙幣識別機、硬貨導入通路、上面にこの硬貨導入通路が接続されかつ下面に硬貨返却通路と硬貨回収通路とが接続された硬貨識別機、球供給通路と接続された球切り装置、主制御基板、電源基板及びカードユニットが装備されているとともに、上記硬貨回収通路と球供給通路とは、左側方から見て筐体内の硬貨選別機と球切り装置との間で球供給通路を手前側にして交差した状態に配置されており、上記筐体は、６面のうち右側面、上面、下面及び背面を構成しかつ装備品を支持する強度部材としての基板と、この基板に取り付けられかつ正面を構成する正面パネルと、同じく基板に取り付けられかつ左側面を構成する側面カバーとからなることを対象とする。そして、上記球切り装置と球供給通路とを、金属製の取付プレートに組み付けてユニット化し、上記取付プレートを筐体の基板に取り付け、この取付プレートの外側から重ね合わせるように筐体の側面カバーを基板に取り付ける構成とする。
【０００９】
この構成では、筐体内で側方から見て互いに交差状態に配置される硬貨回収通路と球供給通路のうち、筐体の基板から離れて取り付けられる球供給通路とそれに連通する球切り装置とが予め取付プレートに組み付けてユニット化され、取付プレートを筐体の基板に取り付けるだけで簡単にかつ安定状態にこれらの取付を行うことができる。
【００１０】
また、請求項１に係る発明は、上記の構成に加えて、上記球供給通路を、遊技島側に配置した球補給装置からパチンコ球の補給を受ける補給口を有する第１の緩傾斜通路部と、この第１の緩傾斜通路部と第１の方向転換部を介して連続する第１の垂直通路部と、この第１の垂直通路部と第２の方向転換部を介して連続する第２の緩傾斜通路部と、この第２の緩傾斜通路部と第３の方向転換部を介して連続する第２の垂直通路部と、この第２の垂直通路部と第４の方向転換部を介して連続しかつ上記正面パネルに設けた球貸出ノズルに連通する第３の緩傾斜通路部とを有する構成とし、上記球切り装置を、この球供給通路の第２の垂直通路部内に一部が挿入された状態で設けられ第２の垂直通路部内を落下するパチンコ球を１個ずつ送り出すための球切りホイールを有する構成とする。さらに、上記取付プレートは、上記球供給通路の一側壁を構成するとともに、球供給通路に沿った形状に形成されており、また、この取付プレートに、上記球供給通路の第１及び第２の方向転換部付近でその内部を落下するパチンコ球が衝突する側の壁部に当接するフランジ部を形成する構成とする。この構成では、取付プレートによりユニット化した球供給通路の一側壁が構成されるとともに、取付プレートが球供給通路に沿った形状に形成され、その大きさが最小限に設定されているため、ユニット化部品の小型・軽量化などが図られることになる。
【００１１】
【発明の実施の形態】
以下、本発明の実施の形態を図面に基づいて説明する。
図１及び図２は本発明の一実施形態に係る遊技媒体貸出装置Ａを示し、この遊技媒体貸出装置Ａは、遊技島において隣接する２台のパチンコ機の間などに配置され、遊技媒体としてのパチンコ球の貸出処理を行うものである。
【００１２】
すなわち、上記遊技媒体貸出装置Ａは、遊技島の機枠などに固定されたフレーム枠１と、このフレーム枠１に対し前方より差し込んで脱着可能に装着される装置本体２とからなる。装置本体２は、図３及び図４にも示すように、筐体３内に上側から順に紙幣識別機１１、硬貨導入通路１２、上面にこの硬貨導入通路１２が接続されかつ下面に硬貨返却通路１４と硬貨回収通路１５とが接続された硬貨選別機１３、球供給通路１６と接続された球切り装置１７、主制御基板１８、電源基板１９及びカードユニット２０などを装備してなる。筐体３は、６面のうち右側面、上面、下面及び背面を構成しかつ上記装備品１１〜２０を支持する強度部材としての基板２１と、この基板２１に取り付けられかつ正面を構成する正面パネル２２と、同じく基板２１に取り付けられかつ左側面を構成する側面カバー２３とからなる。
【００１３】
上記正面パネル２２には紙幣挿入口３１、硬貨投入口３２、硬貨返却ボタン３３、硬貨返却口３４、球貸出ノズル３５及び会員カード挿入口３６などが設けられている。そして、紙幣挿入口３１に所定の紙幣（例えば千円札など）を挿入すると紙幣識別機１１でその紙幣が真正であることを確認した後、会員カード挿入口３６に会員カードが挿入されていればカードユニット２０により会員カードに有価価値を加算し、会員カードが挿入されていなければ所定数のパチンコ球を球貸出ノズル３５から貸し出すようになっている。また、硬貨投入口３２に所定の硬貨（例えば１００円硬貨など）を投入したときにも硬貨選別機１３で投入硬貨の真正が確認されると球貸出ノズル３５から所定数のパチンコ球の貸出が行われる。
【００１４】
上記紙幣識別機１１は、紙幣挿入口３１から挿入された紙幣の真偽を識別するとともに、この識別の後真正な紙幣を背面側の紙幣送出口１１ａから遊技島側に配置した紙幣搬送装置（図示せず）へ送出するようになっている。上記硬貨選別機１３は、硬貨投入口３２から硬貨導入通路１２を通して導入された硬貨の真偽や金種の選別を行い、真正な硬貨であれば硬貨回収通路１５に送出して硬貨の回収を行い、それ以外のものであれば硬貨返却通路１４に送出して硬貨返却口３４に戻すようになっている。また、硬貨選別機１３内で硬貨が詰まった場合にも硬貨返却ボタン３３を前方より押すと詰まった硬貨が硬貨選別機１３内から硬貨返却通路１４を介して硬貨返却口３４に戻される。
【００１５】
上記球切り装置１７は、主制御基板１８から球貸出指令を受けたとき遊技島側に配置した球補給装置（図示せず）から球供給通路１６を通して導入されるパチンコ球の個数を計測しながら、所定数のパチンコ球を球貸出ノズル３５へ送出するものである。球供給通路１６は、装置本体２をフレーム枠１に装着したときフレーム枠１側に設けた接続ノズル３８に連通し、この接続ノズル３８を通して球補給装置から補給されるパチンコ球が自重によって流下するようになっており、この球供給通路１６と硬貨回収通路１５とは、左側方から見て筐体３内の硬貨選別機１３と球切り装置１７との間で球供給通路１６を手前側にして交差した状態に配置されている。
【００１６】
そして、本発明の特徴点として、筐体３内の装備品１１〜２０の大部分は、従来通り筐体３の強度部材である基板２１に直接取り付けられているが、球切り装置１７及び球供給通路１６は、図５ないし図８に示すように、金属製の取付プレート４１に組み付けてユニット化され、この取付プレート４１を介して基板２１に取り付けられており、この取付プレート４１の外側から側面カバー２３が重ね合わせるように基板２１に取り付けられている。球供給通路１６は、上記球補給装置からパチンコ球の補給を受ける補給口１６ａを有する第１の緩傾斜通路部１６ｂと、この第１の緩傾斜通路部１６ｂと第１の方向転換部１６ｃを介して連続する第１の垂直通路部１６ｄと、この第１の垂直通路部１６ｄと第２の方向転換部１６ｅを介して連続する第２の緩傾斜通路部１６ｆと、この第２の緩傾斜通路部１６ｆと第３の方向転換部１６ｇを介して連続する第２の垂直通路部１６ｈと、この第２の垂直通路部１６ｈと第４の方向転換部１６ｉを介して連続しかつ上記球貸出ノズル３５に連通する第３の緩傾斜通路部１６ｊとを有してなる。
【００１７】
上記取付プレート４１は、球供給通路１６の一側壁を構成するとともに、図９にも示すように、上部側が球供給通路１６（詳しくはその第１の緩傾斜通路部１６ｂ、第１の方向転換部１６ｃ、第１の垂直通路部１６ｄ、第２の方向転換部１６ｅ及び第２の緩傾斜通路部１６ｆ）に沿った形状（換言すれば球供給通路１６の一側壁を構成する部分以外の余分な部分が極力少なくなる形状）に形成されている。この取付プレート４１の周縁部には４個所にそれぞれ基板２１に固定するためのねじ止め部４２，４２，…が形成されているとともに、適宜個所に球供給通路１６に沿って折り曲げてなる複数のフランジ部４３，４３，…が形成されており、このフランジ部４３は、上記球供給通路１６の第１及び第２の方向転換部１６ｃ，１６ｅ付近ではその内部を落下するパチンコ球が衝突する側の壁部に当接するようになっている。また、球供給通路１６は、球切り装置１７の基ケース５１とアクリル樹脂などの合成樹脂により一体成形されてなり、この球供給通路１６及び球切り装置１７の基ケース５１は、取付プレート４１に対し複数個所でねじ止めをして固定され、球切り装置１７の蓋カバー５２は、基ケース５１に２個所でねじ止めをして固定されている。
【００１８】
上記球切り装置１７は、基ケース５１と蓋カバー５２との間に球切りホイール５３、一組の歯車５４，５５、ストップレバー５６及びソレノイド５７などを収納してなる。球切りホイール５３は、その一部が球供給通路１６の第２の垂直通路部１６ｈ内に挿入された状態で支軸５９回りに回転自在に支持されており、この球切りホイール５３の周縁部には球供給通路１６内を落下するパチンコ球を１個ずつ送り出すための複数の歯部５３ａ，５３ａ，…が形成されている。球切りホイール５３の回転は一組の歯車５４，５５に伝達されるとともに、ストップレバー５６によりその回転が規制されるようになっている。そして、このストップレバー５６による球切りホイール５３の回転規制状態をソレノイド５７により解除すると球切りホイール５３が回転し、所定数のパチンコ球を送出する構成になっている。
【００１９】
従って、上記遊技媒体貸出装置Ａにおいては、筐体３内で側方から見て互いに交差状態に配置される硬貨回収通路１５と球供給通路１６のうち、筐体３の基板２１に近接して配置される硬貨回収通路１５を従来通り基板２１に直接ねじ止めにより取り付ける一方、筐体３の基板２１から離れて配置される球供給通路１６とこの通路１６に連通する球切り装置１７とを予め取付プレート４１に組み付けてユニット化し、この取付プレート４１を４個所のねじ止め部４２でのねじ止めにより筐体３の基板２１に取り付ける構成になっているため、従来の如く球供給通路１６及び球切り装置１７を硬貨回収通路１５を介在して浮かした状態で筐体３の基板２１に直接ねじ止めにより取り付ける場合よりもそれらの取付を簡単にかつ安定状態に行うことができ、取付作業の簡易化及び取付強度の向上を共に図ることができる。
【００２０】
しかも、上記取付プレート４１は、球供給通路１６の一側壁を構成するとともに、上部側が球供給通路１６に沿った形状に形成されて、その大きさが最小限に設定されているため、ユニット化部品の小型・軽量化を図ることができるとともに、ユニット化部品の取付作業を一層容易にすることができる。
【００２１】
尚、本発明は上記実施形態に限定されるものではなく、その他種々の実施形態を包含するものである。
【００２２】
例えば上記実施形態では、取付プレート４１の各ねじ止め部４２を筐体３の基板２１にねじ止めにより直接取り付けるようにしたが、本発明は、この取付プレート４１を、筐体３の構造などとの関係で場合によっては、筐体の基板に固定した支持部材に取り付ける、つまり支持部材を介して筐体の基板に取り付けるように構成してもよい。
【００２３】
【００２４】
【発明の効果】
以上のように、本発明の遊技媒体貸出装置によれば、筐体内で側方から見て互いに交差状態に配置される硬貨回収通路と球供給通路のうち、筐体の基板から離れて取り付けられる球供給通路とそれに連通する球切り装置とが予め取付プレートに組み付けてユニット化され、取付プレートを筐体の基板に取り付けるだけで簡単にかつ安定状態にこれらの取付を行うことができるので、取付作業の簡易化及び取付強度の向上を共に図ることができる。
【００２５】
しかも、取付プレートによりユニット化した球供給通路の一側壁が構成されるとともに、取付プレートが球供給通路に沿った形状に形成され、その大きさが最小限に設定されているため、ユニット化部品の小型・軽量化を図ることができるとともに、取付作業の簡易化を一層図ることができる。
【図面の簡単な説明】
【図１】  本発明の実施形態に係る遊技媒体貸出装置の正面図である。
【図２】  上記遊技媒体貸出装置をフレーム枠と装置本体とに分離した状態を背面側より見た斜視図である。
【図３】  上記装置本体から筐体の側面カバーを取り外した状態を示す斜視図である。
【図４】  同左側面図である。
【図５】  図３の球切り装置や取付プレートなどのユニット化部品を取り外した状態を示す要部拡大図である。
【図６】  上記ユニット化部品を内側から見た斜視図である。
【図７】  図６の球切り装置の蓋カバーを取り外した状態を示す斜視図である。
【図８】  同側面図である。
【図９】  取付プレートの斜視図である。
【符号の説明】
Ａ    遊技媒体貸出装置
３    筐体
１１ 紙幣識別機
１２ 硬貨導入通路
１３    硬貨選別機
１４ 硬貨返却通路
１５    硬貨回収通路
１６    球供給通路
１６ａ 補給口
１６ｂ 第１の緩傾斜通路部
１６ｃ 第１の方向転換部
１６ｄ 第１の垂直通路部
１６ｅ 第２の方向転換部
１６ｆ 第２の緩傾斜通路部
１６ｇ 第３の方向転換部
１６ｈ 第２の垂直通路部
１６ｉ 第４の方向転換部
１６ｊ 第３の緩傾斜通路部
１７    球切り装置
１８ 主制御基板
１９ 電源基板
２０ カードユニット
２１    基板
２２ 正面パネル
２３    側面カバー
３５ 球貸出ノズル
４１    取付プレート
４３ フランジ部
５３ 球切りホイール
【図１】
0004393120.tif 000002
【図２】
0004393120.tif 000003
【図３】
0004393120.tif 000004
【図４】
0004393120.tif 000005
【図５】
0004393120.tif 000006
【図９】
0004393120.tif 000007
【図６】
0004393120.tif 000008
【図７】
0004393120.tif 000009
【図８】
0004393120.tif 000010